(57)【要約】【課題】情報セキュリティ対策を図りつつ、医用機器の利便性を向上させることができる、機能制御装置及び機能制御方法を提供する。【解決手段】実施の形態における機能制御装置は、取得回路と、機能制御回路とを備える。取得回路は、患者が緊急患者であるか否かを識別する識別情報を取得する。機能制御回路は、取得回路によって取得された識別情報に基づいて、医用機器の予め定められた機能を制限するか、機能の制限を解除するかを制御する。【選択図】図３
2019198545.tif 000002
【特許請求の範囲】
【請求項１】
患者が緊急患者であるか否かを識別する識別情報を取得する取得回路と、
前記取得回路によって取得された前記識別情報に基づいて、医用機器の予め定められた機能を制限するか、前記機能の制限を解除するかを制御する機能制御回路と、を備える、
機能制御装置。
【請求項２】
前記機能制御回路は、ユーザの操作に従って前記機能を制限した状態で前記医用機器を使用可能とし、前記取得回路によって取得された前記識別情報に基づいて、前記機能の制限を解除するか否かを制御する、
請求項１に記載の機能制御装置。
【請求項３】
前記機能制御回路は、前記取得回路により前記識別情報が取得されたことに応じて、前記機能を制限した状態で前記医用機器を使用可能とし、前記識別情報に基づいて、前記機能の制限を解除するか否かを制御する、
請求項１に記載の機能制御装置。
【請求項４】
前記患者に装着されたタグを読み取るリーダを備え、
前記取得回路は、前記リーダにより読み取られた前記タグに含まれた前記識別情報を取得する、
請求項１から３の何れか１項に記載の機能制御装置。
【請求項５】
前記取得回路は、ネットワークを介して情報を取得し、
前記機能制御回路は、前記識別情報が前記情報に含まれているか否かによって、前記機能を制限するか、当該機能の制限を解除するかを制御する、
請求項１から３の何れか１項に記載の機能制御装置。
【請求項６】
前記患者に発行される前記識別情報が予め記憶された記憶回路をさらに備え、
前記機能制御回路は、前記取得回路により取得された前記識別情報と前記記憶回路に記憶された前記識別情報とに基づいて、前記機能を制限するか、当該機能の制限を解除するかを制御する、
請求項１から５の何れか１項に記載の機能制御装置。
【請求項７】
前記機能制御回路は、前記機能を制限しているか否かを表す情報の表示を制御する、
請求項１から６の何れか１項に記載の機能制御装置。
【請求項８】
前記機能制御回路は、前記医用機器と協同する可能性のある他の医用機器に、前記取得回路により取得された前記識別情報を送信する、
請求項１から７の何れか１項に記載の機能制御装置。
【請求項９】
前記取得回路は、前記医用機器と協同する前記他の医用機器から送信された前記識別情報を取得し、
前記機能制御回路は、取得された前記識別情報に基づいて、前記他の医用機器の予め定められた機能を制限するか、前記機能の制限を解除するかを制御する、
請求項８に記載の機能制御装置。
【請求項１０】
患者の内部情報を取得する検査装置と、
前記検査装置の制御を行う制御回路と、
請求項１から９の何れか１項に記載の機能制御装置と、
を備えることを特徴とする医用機器。
【請求項１１】
患者が緊急患者か否かを識別する識別情報を取得する取得ステップと、
前記取得ステップで取得された前記識別情報に基づいて、医用機器の予め定められた機能を制限するか、前記機能の制限を解除するかを制御する機能制御ステップと、を有する、
機能制御方法。
【発明の詳細な説明】
【技術分野】
【０００１】
本発明の実施の形態は、機能制御装置、医用機器及び機能制御方法に関する。
【背景技術】
【０００２】
ユーザＩＤやパスワード等の入力を省略して医用機器へのログオンを可能とするエマージェンシーユーザ（Ｅｍｅｒｇｅｎｃｙ  Ｕｓｅｒ）機能が知られている。エマージェンシーユーザ機能は、緊急検査時における患者への素早い対応を実現するものであるが、医用機器の利用の際には、情報セキュリティ対策の観点から医用機器の一部機能が制限される。
【０００３】
しかしながら、当該エマージェンシーユーザ機能によって医用機器の一部機能が制限されることで、医用機器のユーザビリティが低下するおそれがある。
【先行技術文献】
【特許文献】
【０００４】
【特許文献１】特開２０１０−２８７１３８号公報
【発明の概要】
【発明が解決しようとする課題】
【０００５】
本発明が解決しようとする課題は、情報セキュリティ対策を図りつつ、医用機器の利便性を向上させることを可能とすることである。
【課題を解決するための手段】
【０００６】
実施の形態における機能制御装置は、取得回路と、機能制御回路とを備える。取得回路は、患者が緊急患者であるか否かを識別する識別情報を取得する。機能制御回路は、取得回路によって取得された識別情報に基づいて、医用機器の予め定められた機能を制限するか、機能の制限を解除するかを制御する。
【図面の簡単な説明】
【０００７】
【図１】第１の実施の形態に係る機能制御装置の構成を示すブロック図。
【図２】第１の実施の形態に係るディスプレイに表示されるログオン画面を示す図。
【図３】第１の実施の形態に係る機能制御装置の動作を示すシーケンス図。
【図４】第１の実施の形態の変形例に係る機能制御装置の動作を示すシーケンス図。
【図５】第２の実施の形態に係る機能制御装置の構成を示すブロック図。
【図６】第２の実施の形態に係る機能制御装置の動作を示すシーケンス図。
【図７】第３の実施の形態に係る機能制御装置の構成を示すブロック図。
【図８】第３の実施の形態に係る機能制御装置の動作を示すシーケンス図。
【図９】第３の実施の形態に係る機能制御装置の動作を示すシーケンス図。
【図１０】第４の実施の形態に係る機能制御装置の動作を示すシーケンス図。
【図１１】第４の実施の形態に係る機能制御装置の動作を示すシーケンス図。
【発明を実施するための形態】
【０００８】
以下、実施の形態について図面を参照して詳細に説明する。
【０００９】
（第１の実施の形態）
図１は、第１の実施の形態に係る機能制御装置１の構成を示すブロック図である。図１では、機能制御装置１のみならず、当該機能制御装置１が搭載されている医用機器１００の内部構成についても示されている。
【００１０】
また、図１においては、医用機器１００だけではなく、院内緊急受入れ端末２についても示されている。これらの機器は、医療機関内に構築された通信ネットワークＮにそれぞれ接続されており、情報のやり取りが可能とされている。
【００１１】
なお、図１においては、医用機器は３つ示されており（医用機器１００ａ，医用機器１００ｂ，医用機器１００ｃ）、院内緊急受入れ端末２については１つ示されている。但し、通信ネットワークＮに接続される医用機器、院内緊急受入れ端末２の数は任意である。また、医用機器１００ａ，医用機器１００ｂ，医用機器１００ｃについてまとめて示すことができる場合には、以後、適宜「医用機器１００」と表す。
【００１２】
また、医用機器１００については、医用機器１００ａについてのみその内部構成を示している。但し、医用機器１００ｂ，医用機器１００ｃについてもその基本的な構成は医用機器１００ａと同じである。
【００１３】
医用機器１００は、例えば、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置等から構成されるモダリティである。また、ここでは医用機器の種類は問わない。
【００１４】
医用機器１００は、検査装置１０１と、入力回路１０２と、ディスプレイ１０３と、制御回路１０４とを備える。また、この他、医用機器１００には、機能制御装置１が搭載されており、取得回路１１と、機能制御回路１２とを備えている。
【００１５】
検査装置１０１は、患者の内部情報を取得する装置で有り、医用機器１００の各種機能を実行する。検査装置１０１の例としては、例えば、医用機器１００がＸ線ＣＴ装置である場合には、例えば、Ｘ線管とＸ線検出器である。また、例えば、医用機器１００が超音波画像診断装置である場合には、例えば、超音波プローブと当該超音波プローブを介して取得された信号を基に超音波画像を生成する画像生成装置である。
【００１６】
入力回路１０２は、例えば、画像表示、画像の切り替え、モード指定や各種設定などの医師や技師等のユーザによる様々な入力操作を受け付ける。この入力回路１０２としては、例えば、ＧＵＩ、或いは、ボタンやキーボード、トラックボール、ディスプレイ１０３に表示されるタッチパネル等の入力デバイスを用いることが可能である。
【００１７】
ディスプレイ１０３は、ユーザが患者を検査する際に表示させる様々な情報、或いは、操作画面（例えば、ユーザから各種指示を受け付けるためのＧＵＩ（Ｇｒａｐｈｉｃａｌ  Ｕｓｅｒ  Ｉｎｔｅｒｆａｃｅ））などの各種画像を制御回路１０４の制御に従って表示する。このディスプレイ１０３としては、例えば、液晶ディスプレイや有機ＥＬ（Ｅｌｅｃｔｒｏｌｕｍｉｎｅｓｃｅｎｃｅ）ディスプレイなどを用いることが可能である。
【００１８】
また、ディスプレイ１０３は、後述する機能制御装置１の制御のもと、機能制御状況を表示する。また、ディスプレイ１０３は、医用機器１００にユーザがログオンする際にログオン画面を表示する。
【００１９】
ここで図２は、第１の実施の形態に係るディスプレイ１０３に表示されるログオン画面を示す図である。図２に示すように、ログオン画面には、ユーザがユーザＩＤおよびパスワードを入力する欄、及び、これらの入力後に医用機器１００へのログオンを受け付けるボタンが示されている。また、その他、例えば、エマージェンシーユーザ機能によるログオンを受け付けるボタンを備える。
【００２０】
制御回路１０４は、医用機器１００の各部を統合的に制御する。例えば、ユーザが患者の検査を行う際には、入力回路１０２を介して入力された検査条件をディスプレイ１０３に表示させるとともに当該検査条件に従って検査装置１０１を駆動させる。
【００２１】
機能制御装置１は、医用機器１００において実行可能とされている各機能の制限について制御を行う。すなわち、機能制御装置１は、エマージェンシーユーザ機能による機能の制限を解除するか否かを制御する。また、病院等に緊急で搬送された患者の認証を行い、その認証結果に基づく制御も行う。機能制御装置１は、取得回路１１と、機能制御回路１２とを備える。
【００２２】
取得回路１１は、患者が緊急患者であるか否かを識別する緊急患者ＩＤ（以下、適宜「識別情報」と表す。）を取得する。当該識別情報は、例えば、緊急患者として医療機関に搬送されてきた患者に装着されるタグ内に格納される。
【００２３】
緊急で医療機関に搬送されてきた患者には識別媒体が装着される。識別媒体は、例えば、バーコード、ＱＲコード（登録商標）、Ｂｌｕｅｔｏｏｔｈ（登録商標）、ＲＦＩＤ（Ｒａｄｉｏ  Ｆｒｅｑｕｅｎｃｙ  Ｉｄｅｎｔｉｆｉｅｒ）等のタグから構成される。また、識別媒体は、患者の手首に装着可能なリストバンド式や、患者の首に装着可能な首下げ式で構成される。
【００２４】
例えば、識別情報がタグ内に格納されている場合には、取得回路１１は、例えばタグリーダとして構成される。取得回路１１は、患者に装着されたタグから識別情報を取得する。
【００２５】
機能制御回路１２は、取得回路１１によって取得された識別情報に基づいて、医用機器１００の予め定められた機能を制限するか、機能の制限を解除するかの制御を行う。詳細な制御の内容については、後述する。
【００２６】
なお、これらの各回路は、機能制御装置１を構成する取得回路１１及び機能制御回路１２も含めて互いにバスＢに接続され、各種信号のやりとりが可能とされている。
【００２７】
また、通信ネットワークＮやバスＢを介してやり取りされる情報に関する規格は、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）等、いずれの規格であっても良い。
【００２８】
また、医用機器１００の内部構成については、各実施の形態において必要な限度で図面に示し説明した。従って、医用機器１００を構成する各要素については、これまで説明した回路等に限定されず、その他の構成が含まれていても良い。
【００２９】
院内緊急受入れ端末２は、医療機関に緊急患者が搬送されてきた場合に、当該患者を受け入れる手続を行うために使用される端末である。搬送されてきた緊急患者に対して、院内緊急受入れ端末２は、緊急患者ＩＤ（識別情報）を発行（付与）する。院内緊急受入れ端末２による当該処理が行われることによって、この患者が緊急患者であることが認識される。
【００３０】
院内緊急受入れ端末２は、例えば、ワークステーションや救急外来に設置されているパソコンである。もちろん、携帯型の情報端末であっても良い。さらには、医療機関内に構築される各種システムの一部、或いは、全部を構成する装置であっても良い。
【００３１】
なお、ここで例えば、制御回路１０４や機能制御回路１２における各機能については、所定のメモリや図示しない記憶回路等に記憶される、例えば、機能制御管理プログラムといったプログラムをプロセッサに実行させることによって実現することも可能である。ここで本明細書における「プロセッサ」という文言は、例えば、専用又は汎用のＣＰＵ（Ｃｅｎｔｒａｌ  Ｐｒｏｃｅｓｓｉｎｇ  Ｕｎｉｔ）  ａｒｉｔｈｍｅｔｉｃ  ｃｉｒｃｕｉｔ（ｃｉｒｃｕｉｔｒｙ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００３２】
プロセッサは、例えば記憶回路に保存された、又は、プロセッサの回路内に直接組み込まれたプログラムを読み出し実行することで機能を実現する。プログラムを記憶する記録回路は、プロセッサごとに個別に設けられるものであっても構わないし、或いは、例えば、医用機器１００内にのみ設けられていても、医用機器１００とは別に機能制御装置１内に設けられる構成を採用しても構わない。記憶回路の構成には、例えば、半導体や磁気ディスクといった一般的なＲＡＭ（Ｒａｎｄｏｍ  Ａｃｃｅｓｓ  Ｍｅｍｏｒｙ）やＨＤＤ（Ｈａｒｄ  Ｄｉｓｃ  Ｄｒｉｖｅ）等の記憶装置が適用される。
【００３３】
［動作］
次に、図３を用いて、緊急患者が医療機関に搬送されて検査を受ける場合における、医用機器１００の機能制限に関する処理の基本的な流れについて、以下、説明する。図３は、第１の実施の形態に係る機能制御装置１の動作を示すシーケンス図である。
【００３４】
緊急の患者Ｐが医療機関に搬送されてくると、例えば救急外来等にて患者Ｐの受入れが行われる。受入れ責任者は、院内緊急受入れ端末２を用いて当該患者Ｐの受入れ処理を行う。そして、当該患者Ｐに対して緊急患者ＩＤ（識別情報）を発行する（Ｓ２０１）。この識別情報は、患者Ｐが緊急の患者であることを示す情報である。識別情報は、例えば、タグＴに格納されて患者Ｐに装着される。タグＴが装着された患者Ｐは、怪我や病気等に応じて必要な検査を受ける。
【００３５】
一方、患者Ｐの搬送を受けて、ユーザは検査に必要な医用機器１００の操作を行うべく、医用機器１００にログオンする。医用機器１００の制御回路１０４は、ディスプレイ１０３に、例えば図２に示すようなログオン画面を表示させる（Ｓ１１）。但しここでのログオン処理は、緊急を要することから、通常のようにユーザのＩＤやパスワードを入力してのログオンではなく、図２の画面例に示す、エマージェンシーユーザ機能を利用してのログオン処理となる。
【００３６】
ユーザは、入力回路１０２を介して、エマージェンシーユーザ機能を用いて医用機器１００にログオンする。具体的には、ユーザは、例えばディスプレイ１０３のログオン画面に示されたエマージェンシーユーザボタンを選択する操作を行う。制御回路１０４は、当該エマージェンシーユーザ機能でのログオンを受け付ける（Ｓ１２）。
【００３７】
そして、エマージェンシーユーザ機能を用いてのログオンであることから、機能制御装置１では、機能制御回路１２がログオン処理の行われた医用機器１００の各種機能の制限を開始する（Ｓ１３）。このように、この状態では、医用機器１００の各種機能の使用が制限されるので、緊急の患者Ｐに対して必要な検査等を行うことができないことが考えられる。
【００３８】
なお、ここでの機能の制限には、具体的な検査装置１０１の機能を使用することができない場合の他、例えば、ある特定の情報にアクセスすることができない、といった機能の制限が含まれても良い。
【００３９】
このような状態の医用機器１００の近傍に、識別情報が格納されたタグＴを装着した患者Ｐが到着する。機能制御装置１の取得回路１１は、タグＴから識別情報を取得する（Ｓ１４）。上述したように、当該識別情報は、緊急の患者であることを示す情報であることから、緊急の検査等が必要となる。
【００４０】
そこで、取得回路１１は識別情報を取得した旨の信号を機能制御回路１２に送信する。なお、取得回路１１から機能制御回路１２に送信される信号は、上述したような信号ではなく、例えば、識別情報自体を送信することとしても良い。機能制御回路１２では、当該信号を受信して、制限されている機能をユーザが使用できるように、機能制限を解除する（Ｓ１５）。
【００４１】
このような機能制御装置１の処理により、制限されていた機能が再び使用できるようになるため、ユーザは必要な機能を用いて検査を実施する（Ｓ１６）。医用機器１００の制御回路１０４は、実施されている検査が終了したか否かを確認し（Ｓ１７）、検査が終了していない場合には（Ｓ１７のＮＯ）、そのまま待機とする。
【００４２】
一方、検査終了の信号を受信する等、検査が終了したことが確認できた場合には（Ｓ１７のＹＥＳ）、これで緊急の患者Ｐのために検査が行われることはないので、改めて機能制御装置１が医用機器１００の機能の制限を行う（Ｓ１８）。
【００４３】
以上説明したような処理が行われることによって、情報セキュリティ対策を図りつつ、医用機器の利便性を向上させることができる。
【００４４】
（第１の実施の形態の変形例）
なお、図３に示すシーケンス図では、ユーザは、自らエマージェンシーユーザ機能を用いて医用機器１００にログオンしていた。しかし、常に患者Ｐが到着するまでにユーザが医用機器１００にログオンできるわけではない。そこで、以下、第１の実施の形態の変形例として、図４を用いてログオン処理の流れについて説明する。なお、シーケンス図において、これまで説明した処理と同じ処理については、同じ符号で示している。
【００４５】
図４は、第１の実施の形態の変形例に係る機能制御装置１の動作を示すシーケンス図である。これまで説明したログオン処理と異なるところは、機能制御装置１が識別情報を取得した時に、併せて自動的にエマージェンシーユーザ機能を用いて医用機器１００へのログオン処理を行う点にある。
【００４６】
すなわち図４に示すように、取得回路１１が患者ＰのタグＴから識別情報を取得する（Ｓ１４）。但し、この時点では、まだユーザによる医用機器１００へのログオン処理がなされていない。一方で、患者Ｐは既に医用機器１００の近傍へと来ており、できるだけ速く検査が開始されることが望まれる。
【００４７】
そこで、機能制御装置１では、取得回路１１が識別情報を取得したことをもって、自動的にエマージェンシーユーザ機能を用いた医用機器１００へのログオン処理を受け付ける（Ｓ２１）。そして、自動的とはいえエマージェンシーユーザ機能を用いたログオン処理であることから、機能制御回路１２は、機能制限を開始する（Ｓ２２）。
【００４８】
一方で、機能制御回路１２は、取得回路１１から識別情報を取得した旨の信号を受信して、機能制限の解除を実行する（Ｓ１５）。この後の医用機器１００における処理の流れは、上述した通りである。
【００４９】
このような処理を行うことによって、ユーザが事前に医用機器１００へのログオン処理を実行できなくても、機能制御装置１が識別情報を取得したか否かを判断して自動的にログオン処理を実行することができる。これにより、緊急の患者Ｐを受け入れてからより迅速に検査を開始することができる。
【００５０】
なお、図４に示すシーケンス図では、情報セキュリティの観点から、一旦機能制限の処理を行ってから改めて制限解除の処理を行っている。但し、このような場合であっても、医用機器１００が識別情報を基に自動的にエマージェンシーユーザ機能を用いたログオン処理を行った場合には、機能を制限する処理を省略して機能を制限せずにすぐに検査が実施できるように処理しても良い。
【００５１】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００５２】
上述した第１の実施の形態においては、医用機器１００の機能制限を開始する、解除する、という処理は、患者Ｐが装着するタグＴ内に格納されている識別情報を、例えばタグリーダで構成される取得回路１１が読み取ることによって取得していた。第２の実施の形態においては、当該識別情報を、医療機関内に構築された院内システムＳを介して機能制御装置１が取得する方法について説明する。
【００５３】
図５は、第２の実施の形態に係る機能制御装置１の構成を示すブロック図である。通信ネットワークＮには、院内システムＳが接続されている。院内システムＳとしては、例えば、病院情報管理システム（ＨＩＳ：Ｈｏｓｐｉｔａｌ  Ｉｎｆｏｒｍａｔｉｏｎ  Ｓｙｓｔｅｍ）、放射線部門情報管理システム（ＲＩＳ：Ｒａｄｉｏｌｏｇｉｃａｌ  Ｉｎｆｏｒｍａｔｉｏｎ  Ｓｙｓｔｅｍ）、医用画像管理システム（ＰＡＣＳ：Ｐｉｃｔｕｒｅ  Ａｒｃｈｉｖｉｎｇ  Ｃｏｍｍｕｎｉｃａｔｉｏｎ  Ｓｙｓｔｅｍ）といった医療機関内に構築された各種管理システムの全て、或いは、その一部を構成することが考えられる。
【００５４】
また、図６は、第２の実施の形態に係る機能制御装置１の動作を示すシーケンス図である。医療機関に緊急の患者Ｐが搬送されると、院内緊急受入れ端末２において、受入れの処理が行われる。この処理の際に、緊急患者ＩＤ（識別情報）発行がなされ、当該識別情報は、院内システムＳに向けて送信される（Ｓ２０２）。院内システムＳでは、送信された当該識別情報を受信し（Ｓ３０１）、検査で使用される予定の医用機器１００に向けて識別情報を送信する（Ｓ３０２）。
【００５５】
医用機器１００では、緊急の患者Ｐの識別情報を、院内システムＳから取得する（Ｓ１４）。図６に示すシーケンス図では、医用機器１００における機能の制限、解除の処理の流れは、これまで図３を用いて説明した流れと同じである。
【００５６】
このように、緊急の患者Ｐの識別情報が院内システムＳから医用機器１００へと配信されることによって、患者Ｐとは別のルートを介して取得することができる。そのためより迅速に識別情報を取得することができ、それだけ速く医用機器１００の準備を進めることができる。
【００５７】
なお、図６のシーケンス図においては、図３で示すようにユーザがエマージェンシーユーザ機能を用いてログオン処理した流れを示しているが、院内システムＳを介して取得した識別情報を用いて自動的にエマージェンシーユーザ機能を用いたログオン処理を行っても良い。
【００５８】
また、ここでは、院内緊急受入れ端末２が用いられて緊急患者ＩＤ（識別情報）の発行がなされているが、院内緊急受入れ端末２では受入れ処理のみを行い、当該処理を行ったことを院内システムＳで受けて、院内システムＳが緊急患者ＩＤ（識別情報）の発行を行うこととしても良い。
【００５９】
さらに、院内緊急受入れ端末２が通信ネットワークＮを介して院内システムＳから情報を取得して緊急患者ＩＤ（識別情報）の発行を行うこととしても良い。具体的には、院内緊急受入れ端末２は、患者を一意に識別可能な情報（ＩＤ、氏名等）を院内システムＳから取得する。
【００６０】
院内緊急受入れ端末２は、院内システムＳから取得した識別情報に緊急であることを示す文字を付すことで緊急患者ＩＤ（識別情報）を生成する。例えば、院内緊急受入れ端末２は、取得した識別情報の先頭に、緊急であることを示す文字「Ｅ」を付す。
【００６１】
機能制御装置１の取得回路１１は、例えばＤＩＣＯＭ−ＭＷＭ（Ｍｏｄａｌｉｔｙ  Ｗｏｒｋｌｉｓｔ  Ｍａｎａｇｅｍｅｎｔ）によって、院内緊急受入れ端末２にて生成された識別情報を取得する。機能制御回路１２は、取得回路１１によって識別情報が取得された場合に、当該識別情報の先頭に付された文字が「Ｅ」（緊急であることを示す文字）であるか否かを判別し、その判別結果に従って、機能の制限を解除するか否かを制御する。
【００６２】
すなわち機能制御回路１２は、識別情報の先頭に付された文字が「Ｅ」であれば、上記実施形態と同様エマージェンシーユーザ機能による検査装置１０１の機能の制限を解除し、医用機器１００による検査が終了するまで、機能の制限を解除した状態で検査装置１０１の使用を可能とする。機能制御回路１２は、検査終了後には、制限解除された機能を再度制限する。
【００６３】
一方、機能制御回路１２は、識別情報の先頭に付された文字が「Ｅ」でなければ、上記実施形態と同様エマージェンシーユーザ機能による検査装置１０１の機能の制限を維持する。この場合、機能制御回路１２は、医用機器１００による検査が終了するまで、機能を制限した状態で検査装置１０１の使用を可能とする。
【００６４】
また、機能制御回路１２は、ユーザによるログオンがされていない状態で、取得回路１１が識別情報を取得した場合、当該識別情報に付された文字に基づいて、検査装置１０１の機能を制限するか否かを制御してもよい。
【００６５】
例えば、機能制御回路１２は、識別情報の先頭に付された文字が緊急であることを示すものである場合に、検査装置１０１の予め定められた機能を制限しないログオンを自動的に行う。一方、識別情報の先頭に付された文字が緊急であることを示すものでない場合には、検査装置１０１の予め定められた機能を制限するログオンを自動的に行う。
【００６６】
検査装置１０１の予め定められた機能を制限しないログオンは、ユーザがユーザＩＤおよびパスワードの入力により医用機器１００にログオンを行う場合と同等である。一方、検査装置１０１の予め定められた機能を制限するログオンは、ユーザがエマージェンシーユーザ機能によるログオンを行った場合と同等である。
【００６７】
このように、緊急患者が搬送されたとき、ＤＩＣＯＭ準拠サーバを介した通信システムの場合においても、識別情報を照合することによって、ログオン方式（緊急ユーザログオン又は正規ユーザログオン）に依らずに機能制限なく検査を行うことができる。これにより、緊急患者が搬送された場合に、利便性を損なうことなく検査を行うことができる。
【００６８】
なお、識別情報の形式は、患者ＩＤ内に組み合わせられる形式に限定されるものではなく、院内システムＳに格納されているカルテ情報に、緊急であることを示す付帯情報を付帯してもよい。例えば、他の病院から搬送される患者が緊急である場合、当該患者のカルテ情報が院内システムＳにおいて作成されている。院内緊急受入れ端末２は、受入れ責任者の操作入力に応じて、当該患者のカルテ情報に付帯情報を付帯する。この付帯情報のコード形式は、適宜設定されてよい。
【００６９】
（第３の実施の形態）
次に本発明における第３の実施の形態について説明する。なお、第３の実施の形態において、上述の第１、第２の実施の形態において説明した構成要素と同一の構成要素には同一の符号を付し、同一の構成要素の説明は重複するので省略する。
【００７０】
上述した第２の実施の形態においては、患者Ｐの識別情報を、院内システムＳを介して医用機器１００（機能制御装置１）が取得する場合を説明した。第３の実施の形態においては、院内緊急受入れ端末２から通信ネットワークＮを介して医用機器１００（機能制御装置１）が患者Ｐの識別情報を取得するとともに、運ばれてきた患者ＰのタグＴに格納されている識別情報との照合を行う処理について説明する。
【００７１】
図７は、第３の実施の形態に係る機能制御装置１Ａの構成を示すブロック図である。機能制御装置１Ａは、取得回路１１と機能制御回路１２の他に、記憶回路１３と、判別回路１４とを備えている。
【００７２】
記憶回路１３は、例えばメモリから構成される。記憶回路１３には、緊急患者ＩＤ（識別情報）が記憶される。記憶回路１３は、院内緊急受入れ端末２で発行された緊急患者ＩＤを記憶する。例えば、記憶回路１３は、院内緊急受入れ端末２からネットワークを介して送信された緊急患者ＩＤを記憶してもよい。
【００７３】
判別回路１４は、例えばプロセッサで構成される。判別回路１４は、取得回路１１が取得した緊急患者ＩＤと同一の緊急患者ＩＤが、記憶回路１３に記憶されているか否かを判別する。判別回路１４は、判別結果を機能制御回路１２に供給する。
【００７４】
次に、図８及び図９を用いて、第３の実施の形態における機能制御装置１Ａの処理の流れについて説明する。図８及び図９は、第３の実施の形態に係る機能制御装置１Ａの動作を示すシーケンス図である。
【００７５】
緊急の患者Ｐが医療機関に搬送されたとき、院内緊急受入れ端末２は、受入れ責任者からの操作入力に応じて緊急患者ＩＤ（識別情報）を発行する（Ｓ２０１）。また、院内緊急受入れ端末２は、発行した緊急患者ＩＤ（識別情報）を、通信ネットワークＮを介して医用機器１００に送信する（Ｓ２０３）。
【００７６】
なお、院内緊急受入れ端末２が緊急患者ＩＤ（識別情報）を送信する対象となる医用機器１００は、事前に設定されていても良い。また、患者Ｐを受け入れる際の情報から、必要となる検査において使用される予定の医用機器１００を都度選択して送信することとしても良い。
【００７７】
医用機器１００は、院内緊急受入れ端末２から受信した緊急患者ＩＤ（識別情報）を、記憶回路１３に記憶する（Ｓ３１）。
【００７８】
一方、受入れ責任者は、発行した緊急患者ＩＤが含まれた識別媒体（タグ）を患者に装着する。タグＴが装着された患者Ｐは、怪我や病気等に応じて必要な検査を受ける。
【００７９】
これに対して医用機器１００の制御回路１０４は、ディスプレイ１０３に、例えば図２に示すようなログオン画面を表示させる（Ｓ１１）。ユーザは、エマージェンシーユーザ機能を利用してのログオン処理を行う。制御回路１０４は、当該エマージェンシーユーザ機能でのログオンを受け付ける（Ｓ１２）。
【００８０】
そして、エマージェンシーユーザ機能を用いてのログオンであることから、機能制御装置１では、機能制御回路１２がログオン処理の行われた医用機器１００の各種機能の制限を開始する（Ｓ１３）。
【００８１】
このような状態の医用機器１００の近傍に、識別情報が格納されたタグＴを装着した患者Ｐが到着する。機能制御装置１の取得回路１１は、タグＴから識別情報を取得する（Ｓ１４）。
【００８２】
取得された識別情報は、取得回路１１から判別回路１４へと送信される。また、判別回路１４は、記憶回路１３から事前に記憶されている識別情報を取得する。判別回路１４は、取得回路１１により取得された識別情報と同一の識別情報が、記憶回路１３に記憶されているか否かの比較を行う。この処理によって、医用機器１００の近傍に到着した患者Ｐが検査の必要な患者であるか否かの認証を行う（図９のＳ３２）。
【００８３】
判別回路１４による比較処理の結果、タグＴから取得された識別情報と記憶回路１３に記憶されていた識別情報とが一致した場合には（Ｓ３３のＹＥＳ）、緊急患者Ｐの認証が成功した場合であると言えるので、機能制御回路１２は、医用機器１００に対する機能の制限を解除する（Ｓ１５）。そして、ユーザによる患者Ｐへの検査が実施され（Ｓ１６）、検査終了となった場合には（Ｓ１７）、再度医用機器１００の機能が制限される（Ｓ１８）。
【００８４】
一方、判別回路１４による比較処理の結果、タグＴから取得された識別情報と記憶回路１３に記憶されていた識別情報とが一致しない場合には（Ｓ３３のＮＯ）、緊急患者Ｐの認証が成功しなかったことになる。この場合には、医用機器１００の機能の制限を解除することなく、ステップＳ１８に移行し、そのまま機能の制限が継続される。
【００８５】
なおこの場合、機能制御回路１２は、医用機器１００による検査が終了するまで、機能を制限した状態で検査装置１０１の使用が可能である。
【００８６】
このような処理を行うことによって、ユーザが事前に医用機器１００へのログオン処理を実行できなくても、機能制御装置１が識別情報を取得したか否かを判断して自動的にログオン処理を実行することができる。これにより、緊急の患者Ｐを受け入れてからより迅速に検査を開始することができる。
【００８７】
特に医療機関が複数の緊急の患者Ｐを受け入れた場合に、タグから取得される識別情報のみではなく、記憶回路に記憶されている識別情報との照合を行うことによって、患者Ｐの確認に慎重を期すことが可能となる。
【００８８】
なお、上記動作例では、ディスプレイ１０３に表示されたボタンを選択する操作をユーザが行うことによりエマージェンシーユーザ機能によるログオンを行う例を説明した。但し、上述したように、患者Ｐに装着されたタグＴを医用機器１００が読み込んだタイミングで自動的にエマージェンシーユーザ機能によるログオンが行われるようにしてもよい。
【００８９】
（第４の実施の形態）
次に本発明における第４の実施の形態について説明する。なお、第４の実施の形態において、上述の第１ないし第３の実施の形態において説明した構成要素と同一の構成要素には同一の符号を付し、同一の構成要素の説明は重複するので省略する。
【００９０】
これまで説明してきた各実施の形態においては、緊急患者ＩＤ（識別情報）を受けて機能の制限を解除されて検査に使用される医用機器１００は、１つだけであった。しかし緊急の患者Ｐに対して実施される検査は複数種類にのぼる場合がある。この場合、使用される予定の医用機器１００も複数となる可能性がある。第４の実施の形態では、このように複数の医用機器１００が協同して使用される場合の機能制限、機能制限の解除について説明する。
【００９１】
図１０及び図１１は、第４の実施の形態に係る機能制御装置１，１Ａの動作を示すシーケンス図である。なお、ここで機能制御装置１，１Ａとしたのは、医用機器１００における機能制御装置の働きとしては、上述した第１ないし第３の実施の形態のいずれの実施の形態における働きも採用し得るからである。また、複数の医用機器１００が登場するが、図１０及び図１１においては、医用機器１００ａ及び医用機器１００ｂの２つを例に挙げて説明する。
【００９２】
医用機器１００ａについては、ここでは、上記第１の実施の形態において変形例として図４を示して説明したように、ユーザがエマージェンシーユーザ機能を用いてログオンしていない状態で、患者Ｐの識別情報を基に医用機器１００ａに対して自動的にエマージェンシーユーザ機能でのログオンを行う場合を例に挙げる。一方医用機器１００ｂについては、ユーザがエマージェンシーユーザ機能を用いてログオンする場合を例に挙げる。
【００９３】
図１０に示すように、緊急の患者Ｐが医療機関に搬送されてくると、例えば救急外来等にて患者Ｐの受入れが行われる。受入れ責任者は、院内緊急受入れ端末２を用いて当該患者Ｐの受入れ処理を行う。そして、当該患者Ｐに対して緊急患者ＩＤ（識別情報）を発行する（Ｓ２０１）。
【００９４】
患者Ｐが医用機器１００ａの近傍まで運ばれてくることで、医用機器１００ａの取得回路１１が患者ＰのタグＴから識別情報を取得する（Ｓ１４）。但し、この時点では、上述したようにまだユーザによる医用機器１００へのログオン処理がなされていない。
【００９５】
そこで、機能制御装置１では、取得回路１１が識別情報を取得したことをもって、自動的にエマージェンシーユーザ機能を用いた医用機器１００ａへのログオン処理を受け付ける（Ｓ２１）。そして、自動的とはいえエマージェンシーユーザ機能を用いたログオン処理であることから、機能制御回路１２は、機能制限を開始する（Ｓ２２）。
【００９６】
一方で、機能制御回路１２は、取得回路１１から識別情報を取得した旨の信号を受信して、機能制限の解除を実行する（Ｓ１５）。当該処理によって医用機器１００ａの機能が制限されることなく検査を実施することができる。そこで、ユーザは検査を実施する（Ｓ１６）。
【００９７】
併せて、医用機器１００ａでは、例えば、機能制御回路１２が、検査が開始されたことを示す通知（検査開始通知）を生成し、通信ネットワークＮを介して医療機関内の他の医用機器１００に対して送信する（Ｓ４１）。送信先となる医用機器１００については、予め設定されていても良く、或いは、通信ネットワークＮに接続されている全ての医用機器１００としても良い。また、識別情報に検査予定の項目に関する情報が含まれていて、当該情報を基に、使用される予定の医用機器１００を把握し送信することも可能である。
【００９８】
上述したように、第４の実施の形態において医用機器１００ａからの検査開始通知を受信するのは医用機器１００ｂである。ここでは医用機器１００ｂは、まずログオン画面をディスプレイ１０３に表示させる（Ｓ１１）。ユーザは、表示された、例えば、エマージェンシーユーザのボタンを入力回路１０２を用いてクリックする。医用機器１００ｂではこのようなエマージェンシーユーザ機能でのログオンを受け付ける（Ｓ１２）。そしてエマージェンシーユーザ機能でのログオンであることから、機能制御回路１２が医用機器１００ｂの機能の制限を開始する（Ｓ１３）。
【００９９】
医用機器１００ｂは、例えばこのような状態で医用機器１００ａから検査開始通知を受信する（Ｓ４２）。医用機器１００ｂでは、当該検査開始通知の受信をもって、機能の制限を解除する（図１１のＳ１５）。ユーザは機能の制限が解除された状態の医用機器１００ｂを用いて患者Ｐに対する検査を実施する（Ｓ１６）。
【０１００】
検査が実施された後の医用機器１００ｂの処理の流れ、及び医用機器１００ｂに対して検査開始通知を送信した後の医用機器１００ａの処理の流れは、いずれも検査が終了したか否かを確認した上で（Ｓ１７）、検査終了後にはそれぞれの医用機器における機能の制限を実行する（Ｓ１８）。
【０１０１】
以上説明したように、緊急の患者Ｐに対して実施される検査において使用される医用機器が複数あったとしても、患者の識別情報を最初に受けた医用機器から他の医用機器に対して検査開始通知を送信することで、当該検査開始通知を受信した各医用機器は、当該通知をもって機能の制限を解除することができる。
【０１０２】
従って、複数の医用機器が使用される場合であっても、情報セキュリティ対策を図りつつ、医用機器の利便性を向上させることができる。
【０１０３】
なお、ここでは、患者の識別情報を最初に受けた医用機器から他の医用機器に対して検査開始通知を送信する例を挙げて説明した。但し、このような形態に限定されるわけではない。
【０１０４】
例えば、患者の識別情報を最初に受けた医用機器は、院内に設けられた「院内緊急検査状況配信装置」に対して検査開始通知を送信し、当該院内緊急検査状況配信装置からその他の医用機器に対して検査開始通知を送信することとしても良い。
【０１０５】
或いは、例えば、院内緊急受入れ端末で患者を受け入れた時点で必要となる検査において使用される予定の医用機器の全てに対して一斉に識別情報を送信することとしても良い。この場合は、患者が装着しているタグとの照合を行って都度医用機器の機能制限を解除することになる。
【０１０６】
また、取得回路が緊急患者に取り付けられたタグを読み込み、タグに含まれた識別情報を取得する際に、機能制御回路がディスプレイに、ユーザに識別情報の取得を促す画面を表示させても良い。この場合、例えば、ディスプレイには「患者に装着されたタグを読み込んで緊急患者の認証を行ってください」等のメッセージが表示される。
【０１０７】
その他、機能制御回路１２は、検査装置１０１の機能が制限されているか否かをユーザが認識できる情報をディスプレイ１０３に表示させてもよい。例えば、機能制御回路１２は、検査装置１０１の機能が制限されている間は、ディスプレイ１０３の画面に赤色の枠を表示させたり、医用機器１００に取り付けられた警告ランプを点灯させたりする。一方、機能制御回路１２は、検査装置１０１の機能の制限が解除された場合は、ディスプレイ１０３の画面に表示させた赤色の枠を消し、警告ランプを消灯させる。
【０１０８】
なお、報知の態様については、例えば機能が制限されている間は報知し、機能の制限が解除された場合に報知しない例を説明した。但し、このような態様に限定されるわけではなく、例えば、逆に、機能が制限されている間は報知せず、機能の制限が解除された場合に報知することとしても良い。
【０１０９】
また、患者の緊急患者ＩＤ（識別情報）の取得回路は、医用機器の機能制御装置内に設けられていることを前提にこれまで説明してきた。但し、例えば、医用機器が置かれている部屋等の入り口に取得回路が設置されているとすることも可能である。このような位置に設置されている取得回路からの信号を受信して医用機器の機能制御回路が機能の制限の可否を判断することとしても良い。
【０１１０】
さらに、上記各実施の形態においては、医用機器に機能制御装置が設けられていることを前提に説明してきた。但し、例えば、機能制御装置が医用機器内に設けられることなく、別体として設置されることとしても良い。このような場合には、医用機器と機能制御装置とは、有線、無線は問わず、互いに信号のやり取りを行うことができるように接続される。
【０１１１】
以上説明した少なくとも１つの実施の形態によれば、情報セキュリティ対策を図りつつ、医用機器の利便性を向上させることができる。
【０１１２】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれる。
【符号の説明】
【０１１３】
１      機能制御装置
２      院内緊急受入れ端末
１１    取得回路
１２    機能制御回路
１００  医用機器
１０１  検査装置
１０２  入力回路
１０３  ディスプレイ
１０４  制御回路
Ｂ      バス
Ｎ      通信ネットワーク
Ｐ      患者
Ｔ      タグ
【図１】
2019198545.tif 000003
【図２】
2019198545.tif 000004
【図３】
2019198545.tif 000005
【図４】
2019198545.tif 000006
【図５】
2019198545.tif 000007
【図６】
2019198545.tif 000008
【図７】
2019198545.tif 000009
【図８】
2019198545.tif 000010
【図９】
2019198545.tif 000011
【図１０】
2019198545.tif 000012
【図１１】
2019198545.tif 000013